(57)【要約】【課題】乗物用シートに付随的に設けられたテーブルに買い物袋を保持するためのフックを設けた乗物用シートのテーブルにおいて、買い物袋の取っ手部分が引っ掛かる引っ掛かり部分を一つにまとめて大きく形成することにより、フック全体の大きさを大きくしないで買い物袋の取っ手部分がフックから外れ難くする。【解決手段】シート壁面に回動自在に結合されたテーブル４０と、該テーブル４０を展開状態に支持すると共に、展開状態から下方に回動させて格納状態に移動させる移動機構と、テーブル４０が展開状態と格納状態とに回動される際の回動軌跡の側端部に設けられたフック５１とを備える。該フック５１は、テーブル４０の側端部に形成された切欠部内で、該切欠部を臨むテーブルの外周側縁部から回動中心側に向けて突出して形成されている。【選択図】図６
2015199400.tif 000002
【特許請求の範囲】
【請求項１】
所定広さを有する板材を、その一端縁側を回動中心としてシート壁面等の固定部材に回動自在に結合されたテーブルと、
該テーブルを水平状態である展開状態に支持すると共に、展開状態から下方に回動させて前記固定部材に沿った格納状態に移動させる移動機構と、
前記テーブルが展開状態と格納状態とに回動される際の回動軌跡の側端部であり、しかも同回動軌跡の外周側より回動中心に近い側に設けられたフックとを備え、
該フックは、前記テーブルの側端部に形成された切欠部内で、該切欠部を臨むテーブルの外周側縁部から回動中心側に向けて突出して形成され、
該フックの突出端である先端部には、テーブルの中央側に向けて突部が形成され、該突部を含む前記フックの先端部は、前記切欠部内でテーブルの縁部から離間して形成されている乗物用シートのテーブル。
【発明の詳細な説明】
【技術分野】
【０００１】
本発明は、自動車、飛行機、船、電車等の乗物に搭載されるシートに関し、特に、シートに設置される展開、格納自在のテーブルに関する。更に言えば、買い物袋を保持するためのフックを備えたテーブルに関する。
【背景技術】
【０００２】
乗物室内において傘、買い物袋等の小物を保持するための工夫が従来より種々行われている。例えば、乗物用シートの背面に設置された展開、格納自在のテーブルに傘を保持するための構造を備えた発明が下記特許文献１に開示されている。また、同様のテーブルに買い物袋を保持するためのフックを設けることも車両用テーブルにおいて検討されている（未公知）。後者の構造を図８、９に示す。図８はテーブル１００の表側からの斜視図であり、図９はテーブル１００の裏側からの斜視図である。テーブル１００の側縁部には切欠部１０１が形成され、フック１１０は切欠部１０１内にキノコ形状に形成して設けられている。買い物袋の取っ手部分をキノコ形状のフック１１０に引っ掛けることにより買い物袋を保持できるようにしている。
【先行技術文献】
【特許文献】
【０００３】
【特許文献１】特開２０１３−１１２１７３号公報
【発明の概要】
【発明が解決しようとする課題】
【０００４】
しかし、この場合のキノコ形状のフック１１０は比較的小さなものであり、買い物袋の取っ手部分が太いと、取っ手部分がフック１１０のキノコ形状の傘１１１に相当する引っ掛かり部分から食み出して外れ易い問題がある。この問題に対応するためにはフック１１０を大きく形成すれば良いが、フック１１０は本来テーブルとして使用されるものの一部に付随的に設けられたものであるため、大きくすることにも限界がある。
【０００５】
このような問題に鑑み本発明の課題は、乗物用シートに付随的に設けられたテーブルに買い物袋を保持するためのフックを設けた乗物用シートのテーブルにおいて、買い物袋の取っ手部分が引っ掛かる引っ掛かり部分を一つにまとめて大きく形成することにより、フック全体の大きさを大きくしないで買い物袋の取っ手部分がフックから外れ難くすることにある。
【課題を解決するための手段】
【０００６】
第１発明は、所定広さを有する板材を、その一端縁側を回動中心としてシート壁面等の固定部材に回動自在に結合されたテーブルと、該テーブルを水平状態である展開状態に支持すると共に、展開状態から下方に回動させて前記固定部材に沿った格納状態に移動させる移動機構と、前記テーブルが展開状態と格納状態とに回動される際の回動軌跡の側端部であり、しかも同回動軌跡の外周側より回動中心に近い側に設けられたフックとを備え、該フックは、前記テーブルの側端部に形成された切欠部内で、該切欠部を臨むテーブルの外周側縁部から回動中心側に向けて突出して形成され、該フックの突出端である先端部には、テーブルの中央側に向けて突部が形成され、該突部を含む前記フックの先端部は、前記切欠部内でテーブルの縁部から離間して形成されている乗物用シートのテーブルである。
【０００７】
第１発明によれば、買い物袋の取っ手部分を引っ掛けるフックの引っ掛かり部分は、フックの先端部から基端部までの間の領域となる。フックは切欠部に対して一つのみ設けられ、切欠部の大きさが同じでも、従来のキノコ形状のフックのように引っ掛かり部分がキノコ形状の傘の周りに分散して形成される場合に比べて引っ掛かり部分を大きく形成することができる。そのため、買い物袋の取っ手部分が太い場合でも取っ手部分がフックの先端部から食み出してしまう可能性を抑制することができる。係る作用効果はテーブルが展開状態か格納状態かに係わらず同様である。即ち、展開状態ではフックがシート壁面等の固定部材に近い側にあり、しかも、フックの突出方向が回動中心側、つまり固定部材側とされているため、買い物袋が固定部材に当接して反対側に押される状況では買い物袋の取っ手部分がフックの引っ掛かり部分から外れる可能性は抑制される。テーブルが格納状態にあるときはフックが上を向いて突出される状態となるため、買い物袋の取っ手部分がフックの引っ掛かり部分に引っ掛かった状態とされ、外れる可能性は抑制される。いずれの状態においてもフックの先端部に形成された突部は、フックの引っ掛かり部分から買い物袋の取っ手部分が外れるのを抑制する効果を更に高めることができる。
【図面の簡単な説明】
【０００８】
【図１】本発明の一実施形態を示す斜視図である。
【図２】上記実施形態の平面図である。
【図３】図２のＩＩＩ−ＩＩＩ線断面図である。
【図４】上記実施形態におけるフック部分のテーブル表側からの斜視図である。
【図５】上記実施形態におけるフック部分のテーブル裏側からの斜視図である。
【図６】上記実施形態の一つの使用状態を示す斜視図である。
【図７】上記実施形態の他の使用状態を示す斜視図である。
【図８】本発明の従来例におけるフック部分のテーブル表側からの斜視図である。
【図９】本発明の従来例におけるフック部分のテーブル裏側からの斜視図である。
【発明を実施するための形態】
【０００９】
図１〜５は、本発明の一実施形態を示す。この実施形態は、車両用フロントシート（以下、単にシートという）に本発明を適用した例を示す。各図中、矢印によりシートの各方向を示している。以下の説明において、方向に関する記述は、この方向を基準として行うものとする。
【００１０】
図１に示すように、テーブル４０はシート１０におけるシートバック２０の背面上にベース６０（本発明のシート壁面等の固定部材に相当）を介して取り付けられている。テーブル４０は、主にシート１０の後方に配置された後席の乗員が使用するために設けられており、テーブル４０を使用するときは図１にて実線で示すように展開状態とされ、テーブル４０を使用しないときは図１にて破線で示すように格納状態とされる。展開状態ではテーブル４０は水平状態とされ、後席乗員がテーブル４０上に弁当、本等の小物を置けるようにされる。また、格納状態ではテーブル４０はシートバック２０の背面に沿った状態とされて格納される。そのため、テーブル４０はベース６０との接続部分をヒンジ中心として回動自在に結合されている。なお、テーブル４０は展開状態では水平状態とされるが、シート１０においてシートバック２０はシートクッション３０に対してリクライニング角度（傾斜角度）を自在に調整されるため、展開状態のテーブル４０の水平状態も水平線に対してリクライニング角度に応じて変動することになる。
【００１１】
詳細な説明は省略するが、ベース６０とテーブル４０下面との間には、テーブル４０を展開状態に支持すると共に、展開状態から下方に回動させて格納状態に移動させる移動機構を備えている。この移動機構としては公知の各種のものを採用することができる。
【００１２】
テーブル４０が展開状態と格納状態とに回動される際の回動軌跡の側端部となるテーブル４０の左右両側にはフック５１が設けられている。しかも、フック５１は上記回動軌跡の外周側より回動中心に近い側に設けられている。詳細には、テーブル４０の表面の中央部には平坦な中央平坦部４１が形成され、その中央平坦部４１の周りには、テーブル４０の表面側に堤状に突出して形成されたフレーム部４２が形成されている。そして、テーブル４０の側端部にあるフレーム部４２には概ね四角形状に切り欠かれた切欠部４３が形成されている。フック５１は、切欠部４３内で、該切欠部４３を臨むテーブル４０の外周側縁部４２ａから回動中心側に向けて突出して形成されている。フック５１の突出端である先端部５１ｂには、テーブル４０の中央平坦部４１側に向けて突部５２が形成され、該突部５２を含むフック５１の先端部５１ｂは切欠部４３内でテーブル４０の縁部から離間して形成されている。そして、切欠部４３内でフック５１とテーブル４０の縁部との間には隙間５３が形成されている。フック５１はテーブル４０が樹脂の一体成形にて形成される際に同時に一体成形にて形成されている。フック５１とテーブル４０は別々に形成され、互いに結合されても良い。このとき、フック５１は金属とし、テーブル４０は樹脂としても良い。なお、図３において、４４はテーブル４０の裏面の見栄えを良くするための化粧板を示す。
【００１３】
図６、７は買い物袋Ｂをテーブル４０のフック５１に引っ掛けた状態を示している。図６はテーブル４０が展開状態にある場合を示し、買い物袋Ｂの取っ手部分が隙間５３に入り、買い物袋Ｂがフック５１に支持されている。このとき、買い物袋Ｂの取っ手部分を引っ掛けるフック５１の引っ掛かり部分は、フック５１の先端部５１ｂから基端部５１ａまでの間の領域となる。フック５１は切欠部４３に対して一つのみ設けられ、切欠部４３の大きさが同じでも、従来のキノコ形状のフック１１０のように引っ掛かり部分がキノコ形状の傘１１１の周りに分散して形成される場合に比べて引っ掛かり部分を大きく形成することができる。そのため、買い物袋Ｂの取っ手部分が太い場合でも取っ手部分がフック５１の先端部５１ｂから食み出してしまう可能性を抑制することができる。また、フック５１の先端部５１ｂに形成された突部５２は、フック５１の引っ掛かり部分から買い物袋Ｂの取っ手部分が外れるのを抑制する効果を更に高めることができる。テーブル４０の展開状態ではフック５１がシートバック２０の背面に近い側にあり、しかも、フック５１の突出方向が回動中心側、つまりシートバック２０側とされているため、買い物袋Ｂがシートバック２０の背面に当接して反対側（車両後方側）に押される状況では買い物袋Ｂは車両後方側へ付勢され、その取っ手部分が隙間５３の奥側へ移動されてフック５１の引っ掛かり部分から外れる可能性は抑制される。図７はテーブル４０が格納状態にある場合を示し、このときはフック５１が上を向いて突出される状態となるため、買い物袋Ｂの取っ手部分がフック５１の引っ掛かり部分に引っ掛かった状態とされ、外れる可能性は抑制される。この状態においてもフック５１の先端部に形成された突部５２は、フック５１の引っ掛かり部分から買い物袋Ｂの取っ手部分が外れるのを抑制する効果を更に高めている。
【００１４】
以上、特定の実施形態について説明したが、本発明は、それらの外観、構成に限定されず、本発明の要旨を変更しない範囲で種々の変更、追加、削除が可能である。例えば、上記実施形態では、本発明を車両用シートに適用したが、飛行機、船、電車等に搭載のシートに適用しても良い。
【符号の説明】
【００１５】
１０    車両用フロントシート
２０    シートバック
３０    シートクッション
４０    テーブル
４１    中央平坦部
４２    フレーム部
４２ａ  外周側縁部
４３    切欠部
５１    フック
５１ａ  基端部
５１ｂ  先端部
５２    突部
５３    隙間
６０    ベース（シート壁面等の固定部材）
Ｂ      買い物袋
【図１】
2015199400.tif 000003
【図２】
2015199400.tif 000004
【図３】
2015199400.tif 000005
【図４】
2015199400.tif 000006
【図５】
2015199400.tif 000007
【図６】
2015199400.tif 000008
【図７】
2015199400.tif 000009
【図８】
2015199400.tif 000010
【図９】
2015199400.tif 000011